(57)【特許請求の範囲】
【請求項１】
他の室外機および複数台の室内機の運転情報の表示に供される運転情報表示手段を備えた空気調和システムの室外機において、
前記運転情報表示手段が、縦一列に配置された複数の第１発光部材と、横一列に配置された複数の第２発光部材と、当該第１発光部材および当該第２発光部材を駆動制御する発光部材駆動制御手段とを備え、前記第１発光部材が示す行と前記第２発光部材が示す列とが交差する各位置に、室内機の台数情報または運転情報または警告情報を兼用する兼用数字を配列すると共に、前記第１発光部材の上記兼用数字と反対側の前記第１発光部材が示す各行に室外号機表示を配置し、室内号機は、前記第１発光部材の点灯状況と前記第２発光部材の点灯状況とのマトリックスにより表示し、室外号機は、前記第１発光部材の点灯状況のみで表示して異常の種類を前記第２発光部材の点灯状況のみで表示することを特徴とする空気調和システムの室外機。
【請求項２】
前記運転情報表示手段が、ロータリスイッチとプッシュスイッチとを備え、当該ロータリスイッチの位置切換と当該プッシュスイッチの押込回数とにより前記運転情報表示手段での表示項目の選択が行われることを特徴とする請求項１に記載の空気調和システムの室外機。
【請求項３】
前記運転情報表示手段が、ロータリスイッチとプッシュスイッチとを備え、前記運転情報表示手段での表示項目の選択にあたり、当該ロータリスイッチの位置切換により大項目の選択が行われ、当該プッシュスイッチの押込回数により小項目の選択が行われることを特徴とする請求項１又は２に記載の空気調和システムの室外機。
【発明の詳細な説明】
【０００１】
【発明の属する技術分野】
本発明は空気調和システムの室外機に係り、詳しくは装置構成の簡素化や低コスト化等を実現する技術に関する。
【０００２】
【従来の技術】
近年、大規模なビルディング等には、複数の室外機と多数の室内機とを冷媒配管で接続した空気調和システムが設置されることが多くなっている。この種の空気調和システムでは、各室外機と各室内機とがバスラインにより接続されている。通常、各室内機および室外機のうち親機に設定された一台はメインバスラインにより接続され、各室外機はサブバスラインにより接続されている。そして、両バスラインの間には中継コントローラが介装され、この中継コントローラにより、空気調和システム全体の制御、すなわち、室内機の運転状態や要求能力に応じた室外機の運転管理の他、運転状況および異常状態の監視やシステムの一括起動・停止等が行われる。
【０００３】
中継コントローラには表示・入力パネルが付設されており、その表示面には、７セグメントＬＥＤとＬＥＤランプとからなる表示部の他、ロータリスイッチやプッシュスイッチ等からなる入力部が形成されている。そして、空気調和システムの設置時には、ロータリスイッチやプッシュスイッチを操作することにより、室外機および室内機の台数設定やアドレス設定等が行われる。また、空気調和システムの設置後には、７セグメントＬＥＤやＬＥＤランプにより、ロータリスイッチの操作（回転）に応じて、室内機の接続台数や運転号機、運転モード等、種々の運転情報が表示される他、異常発生時においては警告情報も表示される。
【０００４】
【発明が解決しようとする課題】
上述した空気調和システムでは、７セグメントＬＥＤを用いる都合上、装置構成が複雑になると共に、コストも増大する問題があった。例えば、運転号機等の表示を３個の７セグメントＬＥＤにより行うには、計２１のセグメントを点灯制御する必要があり、回路構成や制御プログラム等の複雑化が避けられなかった。そして、このことは、７セグメントＬＥＤ自体が高価であることも相俟って、装置コストを増大させる要因ともなっていた。
【０００５】
一方、表示項目の選択にロータリスイッチを用いる場合、表示項目が膨大になると、多数のロータリスイッチが必要となる。ところが、ロータリスイッチを多用した場合、表示・入力パネルの面積に限りがあることからレイアウトが困難になると共に、ロータリスイッチ自体が比較的高価であるため、やはり装置コストを増大させる要因となっていた。
【０００６】
本発明は上記状況に鑑みなされたものであり、装置構成の簡素化や低コスト化等を実現した空気調和システムの室外機を提供することにある。
【０００７】
【課題を解決するための手段】
そこで、請求項１の発明では、他の室外機および複数台の室内機の運転情報の表示に供される運転情報表示手段を備えた空気調和システムの室外機において、前記運転情報表示手段が、縦一列に配置された複数の第１発光部材と、横一列に配置された複数の第２発光部材と、当該第１発光部材および当該第２発光部材を駆動制御する発光部材駆動制御手段とを備え、前記第１発光部材が示す行と前記第２発光部材が示す列とが交差する各位置に、室内機の台数情報または運転情報または警告情報を兼用する兼用数字を配列すると共に、前記第１発光部材の上記兼用数字と反対側の前記第１発光部材が示す各行に室外号機表示を配置し、室内号機は、前記第１発光部材の点灯状況と前記第２発光部材の点灯状況とのマトリックスにより表示し、室外号機は、前記第１発光部材の点灯状況のみで表示して異常の種類を前記第２発光部材の点灯状況のみで表示するものを提案する。
【００１０】
この発明では、例えば、第１発光部材と第２発光部材とが縦横に連続番号が印刷された表示プレートの側部および下部に配置され、発光部材駆動制御手段は、室内機の台数表示を行うにあたり、台数に対応する番号をマトリックスで示すように、第１発光部材と第２発光部材とを点灯させる。
【００１２】
この発明では、例えば、第１発光部材が室外機に対応して設置され、発光部材駆動制御手段は、ある室外機に異常が生じた場合には、その室外機を示す第１発光部材を点滅させると共に、第２発光部材を異常の種類を示すパターンで点灯させる。
【００１３】
また、請求項２の発明では、上記構成において、前記運転情報表示手段が、ロータリスイッチとプッシュスイッチとを備え、当該ロータリスイッチの位置切換と当該プッシュスイッチの押込回数とにより前記運転情報表示手段での表示項目の選択が行われるものを提案する。
【００１４】
この発明では、例えば、ロータリスイッチの位置が１６通りに切り換えられ、プッシュスイッチの押し込みが１〜４回の範囲で選択できれば、一組のロータリスイッチとプッシュスイッチとにより６４通りの表示項目の選択が可能となる。
【００１５】
また、請求項３の発明では、上記構成において、前記記運転情報表示手段が、ロータリスイッチとプッシュスイッチとを備え、前記運転情報表示手段での表示項目の選択にあたり、当該ロータリスイッチの位置切換により大項目の選択が行われ、当該プッシュスイッチの押込回数により小項目の選択が行われるものを提案する。
【００１６】
この発明では、例えば、第１発光部材と第２発光部材とが縦横に連続番号が印刷された表示プレートの側部および下部に配置され、ロータリスイッチの位置切換により室内機の接続号機表示を選択し、プッシュスイッチの押込回数により第１発光部材の点灯位置を順次変えると、接続された全室内機の号機が表示される。
【００１７】
【発明の実施の形態】
以下、本発明の一実施形態を図面に基づき詳細に説明する。
【００１８】
図１は、本発明に係る空気調和システムの概要構成を示すブロック図である。この空気調和システム１では、４台の室外機（第１〜第４室外機１-1〜１-4）と２８台の室内機（第１〜第２８室内機３-1〜３-28）とが冷媒配管４により接続され、これにより一つの冷媒系統が形成されている。
【００１９】
各室外機１-1〜１-4には圧縮機の駆動制御等を行う室外機制御基盤（以下、室外制御基盤と略称する）５が内蔵される一方、各室内機３-1〜３-28には電動膨張弁の駆動制御等を行う室内機制御基盤（以下、室内制御基盤と略称する）７が内蔵されている。本実施形態の場合、第１室外機１-1はシステム全体を制御する親機に設定されており、第１室外機１-1には、室外制御基盤５の他に、中継制御基盤９が内蔵されている。各室外機１-1〜１-4の室外制御基盤５と中継制御基盤９とはサブバスラインに１１より接続され、各室内機３-1〜３-28の室内制御基盤７と中継制御基盤９とはメインバスライン１３により接続されている。両バスライン１１，１３は、多重伝送方式を用いた２芯の信号ケーブルであり、シリアル通信により多量のデータが送受信される。
【００２０】
中継制御基盤９は、制御中枢であるＣＰＵの他、入出力インタフェースやＲＯＭ，ＲＡＭ，タイマカウンタ等から構成されており、室内機３-1〜３-28側の運転状態や要求能力に応じて室外機１-1〜１-4の運転管理を行う。また、中継制御基盤９は、各室外機１-1〜１-4および各室内機３-1〜３-28の運転状況や異常状態を監視し、その監視結果に基づいて運転情報や警報の出力を行うと共に、外部からの入力により空気調和システムの一括オン・オフや冷暖切換等を行う。
【００２１】
図２には、中継制御基盤９に付設された表示・入力パネル２１を示してあり、上方に形成された表示面２３には、運転情報を表示すべく、複数のＬＥＤランプが配置されている。すなわち、表示面２３の左方には、左から順に運転ＬＥＤ３１、室内警報ＬＥＤ３２、室外警報ＬＥＤ３３、中継警報ＬＥＤ３４が横一列に配置され、その下部にはそれぞれ「運転」、「室内」、「室外」、「ＣＢ」の文字が記されている。また、表示面の右方には、「１」〜「３２」の数字を４行に記した室内号機表示２５をＬ字状に囲うかたちで、縦一列の第１〜第４室外表示ＬＥＤ（第１発光部材）４１〜４４と、横一列の第１〜第８室内表示ＬＥＤ（第２発光部材）５１〜５８とが配置されている。また、第１〜第４室外表示ＬＥＤ４１〜４４の左側には、室外号機表示２７として「１」〜「４」の数字が下から順に記されている。
【００２２】
表示・入力パネル２１の下方には、表示項目の選択に供される各１個のロータリスイッチ６１とプッシュスイッチ６３とが配置され、その右方には室外機子機台数設定用のスライドスイッチ６５が配置されている。また、スライドスイッチ６５の左方には、更にタンブラースイッチ６９が配置されており、その操作により通常時表示と点検時表示とが切り換えられる。
【００２３】
図３（図２中のＡ部拡大図）に示したように、ロータリスイッチ６１は、ダイヤル６２を回転させることにより回路切換がおこなわれ、その切換位置は「０」〜「９」および「Ａ」〜「Ｆ」の１６通りとなっている。また、図４（図２中のＢ部拡大図）に示したように、スライドスイッチ６５は、一対のスライドボタン６６，６７を有しており、スライドボタン６６，６７の位置により、４段階（０〜３台）の切換ができる。尚、表示・入力パネル２１上には、他にも多種多様なランプやスイッチ等が配置されているが、説明の煩雑化を避けるためにそれらの図示は省略する。
【００２４】
以下、本実施形態の作用を述べる。
【００２５】
空気調和システムの施工、すなわち、室外機１-1〜１-4および室内機３-1〜３-28の設置や、冷媒配管４および両バスライン１１，１３の接続等が終了すると、設置作業者は、主電源の投入に先だって、中継制御基盤９で室外子機接続台数および室内機接続台数を設定する。この際、第１室外機１-1が室外親機であるため、室外子機接続台数は第２〜第４室外機１-2〜１-4の３台となり、作業者は、スライドスイッチ６５の両スライドボタン６６，６７を図４中で上方にスライドさせる。このように、本実施形態では、中継制御基盤９が第１室外機１-1に内蔵されているため、従来は中継コントローラで室外機総台数を設定するのに比して、設定作業が容易になった。尚、室内機接続台数の設定は、図示しないロータリスイッチ等を用いて行われる。
【００２６】
さて、空気調和システムに主電源が投入され、第２〜第４室外機１-2〜１-4や各室内機３-1〜３-28のアドレス設定等が終了すると、空気調和システムが起動可能となり、表示・入力パネル２１の表示面２３上にも各種運転情報が表示されるようになる。以下、表示・入力パネル２１における表示項目の選択手順や運転情報表示の詳細を述べる。尚、図面において、各ＬＥＤランプの点灯状況は、「◯」が点灯を示し、「●」が消灯を示し、「△」が室内機のリモートコントローラ（図示せず）がオンの場合（すなわち、運転時）にのみ点灯を示し、「◎」が点滅を示すものとする。
【００２７】
図５には、サービスマンや設置作業者等（以下、作業者と記す）が、表示・入力パネル２１の表示面２３に室内機接続台数を表示させる例を示してある。この場合、作業者は、タンブラースイッチ６９を点検側に切り換えた後、ロータリスイッチ６１を「０」に合わせ、プッシュスイッチ６３を１回押し込む。すると、運転時には運転ＬＥＤ３１が点灯すると共に、第４室外表示ＬＥＤ４４および第１〜第４室内表示ＬＥＤ５１〜５４が点灯する。これにより、作業者は、室内号機表示２５において、第４室外表示ＬＥＤ４４が示す行と第４室内表示ＬＥＤ５４が示す列とが交差する点の数字（すなわち、「２８」）を読み、室内機接続台数が２８台であることを確認する。
【００２８】
すなわち、室内号機表示２５における該当数字がｍ行ｎ列にある場合には、第ｍ室外表示ＬＥＤ４ｍが点灯すると共に、第１〜第ｎ室内表示ＬＥＤ５１〜５ｎが点灯する。尚、室内機接続台数は、運転時以外にも表示され、その場合には、運転ＬＥＤ３１は消灯したままとなる。また、本実施形態では、ｎ列の表示にあたり、第１〜第ｎ室内表示ＬＥＤ５１〜５ｎを点灯させるようにしたが、第ｎ室内表示ＬＥＤ５ｎのみを点灯させるようにしてもよい。
【００２９】
図６には、室内機側での異常発生時における警告表示の例を示してある。空気調和システムの運転中に、室内機に何らかの異常（電動膨張弁の作動不良等）が生じると、中継制御基盤９のＣＰＵは、室内警報ＬＥＤ３２を点灯させると共に、異常発生号機を第４室外表示ＬＥＤ４４および第１〜第８室内表示ＬＥＤ５１〜５８の点灯状況により表示する。
【００３０】
すなわち、ＣＰＵは、第２３室内機３-23に異常が発生した場合には、第３室外表示ＬＥＤ４３および第１〜第７室内表示ＬＥＤ５１〜５７を点灯させる。これにより、作業者は、室内号機表示２５において、第３室外表示ＬＥＤ４３が示す行と第７室内表示ＬＥＤ５７が示す列とが交差する点の数字（すなわち、「２３」）を読み、異常発生号機が第２３室内機３-23であることを確認する。尚、異常発生号機が複数の場合、室内警報ＬＥＤ３２を点灯させたまま、異常発生号機の表示を数秒間隔で切換える。
【００３１】
図７には、室外機側での異常発生時における警告表示の例を示してある。空気調和システムの運転中に、室外機に何らかの異常（熱交換機液温度の過上昇等）が生じると、中継制御基盤９のＣＰＵは、室外警報ＬＥＤ３３、を点灯させると共に、異常発生号機を第１〜第４室外表示ＬＥＤ４１〜４４の点灯状況により表示し、更に第１〜第８室内表示ＬＥＤ５１〜５８の点灯状況により異常の種類を表示する。
【００３２】
すなわち、ＣＰＵは、第２室外機１-2に熱交換機液温度の過上昇が生じた場合、第２室外表示ＬＥＤ４２を点灯させると共に、第１〜第３室内表示ＬＥＤ５１〜５３および第６，第７室内表示ＬＥＤ５６，５７を点灯させる。これにより、作業者は、異常発生号機が第２室外機１-2であることを知ると共に、異常コード表等に基づき、異常が熱交換機液温度の過上昇であることを確認する。
【００３３】
図８，図９には、中継制御基盤９側での異常発生時における警告表示の例を示してある。中継制御基盤９で設定した室内機接続台数や室外子機接続台数に対して実際の接続台数が少ない場合、中継制御基盤９のＣＰＵは、中継警報ＬＥＤ３４を点灯させると共に、第１〜第８室内表示ＬＥＤ５１〜５８の点灯状況により異常の種類を表示する。
【００３４】
すなわち、ＣＰＵは、実際の室内機接続台数が設定値より少ない場合、図８に示したように、第１〜第４室内表示ＬＥＤ５１〜５４よび第７室内表示ＬＥＤ５７を点灯させる。また、実際の室外機接続台数が設定値より少ない場合、図９に示したように、第２，第４，第５，第７室内表示ＬＥＤ５２，５４，５５，５７を点灯させる。これにより、作業者は、設定自体に誤りがあるか、あるいは、バスライン１１，１３に接続不良等があることを確認し、しかるべき処置をとることができる。
【００３５】
図１０には、プレトリップ（警告に至らない、一時的な圧縮機の停止動作）の際の表示例を示してある。運転中に室外機内で圧縮機の温度上昇による保護が働くと、中継制御基盤９のＣＰＵは、常発生号機を第１〜第４室外表示ＬＥＤ４１〜４４の点灯状況により表示すると共に、第１〜第８室内表示ＬＥＤ５１〜５８の点灯状況によりプレトリップが生じたことを表示する。
【００３６】
すなわち、ＣＰＵは、第２室外機１-2にプレトリップが生じた場合、第２室外表示ＬＥＤ４２を点灯させると共に、第３室内表示ＬＥＤ５３および第６〜第７室内表示ＬＥＤ５６〜５７を点滅させる。これにより、作業者は、異常発生号機が第２室外機１-2であることを知ると共に、異常コード表等に基づき、異常がプレトリップであることを確認する。
【００３７】
図１１には、自動アドレスの際の表示例を示してある。空気調和システムの施工後に主電源が投入されると、中継制御基盤９のＣＰＵは、ＲＯＭ等に記憶された制御プログラムに基づき各室内機３-1〜３-28のアドレス設定を自動的に行うが、同時に第１〜第８室内表示ＬＥＤ５１〜５８の点灯状況によりアドレス設定中であることを表示する。すなわち、ＣＰＵは、第１，第２室内表示ＬＥＤ５１，５２を交互に点滅させ、これにより、作業者が自動アドレスの実行中であることを認識する。
【００３８】
図１２，図１３には、室内機接続号機の表示例を示してある。この場合、空気調和システムの運転時あるいは停止時に、作業者は、タンブラースイッチ６９を点検側に切り換えた後、ロータリスイッチ６１を「１」に合わせ、プッシュスイッチ６３を押し込む。すると、中継制御基盤９のＣＰＵは、室内機接続号機を表示するべく、第１〜第４室外表示ＬＥＤ４１〜４４および第１〜第８室内表示ＬＥＤ５１〜５８を適宜点灯させる。
【００３９】
例えば、本実施形態の場合、プッシュスイッチ６３が１回押し込まれると、ＣＰＵは、図１２に示したように、第１室外表示ＬＥＤ４１と第１〜第３および第７，第８室内表示ＬＥＤ５１〜５３，５７，５８を点灯させる。これにより、作業者は、室内号機表示２５におけるマトリックスにより、第１〜第３および第７，第８室内機が接続されていることを知る。また、プッシュスイッチ６３が２回押し込まれると、ＣＰＵは、図１３に示したように、第２室外表示ＬＥＤ４２と第１〜第４および第６〜第８室内表示ＬＥＤ５１〜５４，５６〜５８を点灯させる。これにより、作業者は、第９〜第１２および第１４〜第１６室内機が接続されていることを知る。同様にして、プッシュスイッチ６３を３回あるいは４回押し込まれると、ＣＰＵは、第３，第４室外表示ＬＥＤ４３，４４および第１〜第８室内表示ＬＥＤ５１〜５８を適宜点灯させ、第１７〜第３２室内機の接続状況を表示する。
【００４０】
図１４には、室内機運転号機の表示例を示してある。この場合、作業者は、タンブラースイッチ６９を点検側に切り換えた後、ロータリスイッチ６１を「２」に合わせ、プッシュスイッチ６３を押し込む。すると、中継制御基盤９のＣＰＵは、室内機運転号機を表示するべく、第１〜第４室外表示ＬＥＤ４１〜４４および第１〜第８室内表示ＬＥＤ５１〜５８を適宜点灯させる。
【００４１】
例えば、本実施形態の場合、プッシュスイッチ６３が１回押し込まれると、ＣＰＵは、第１室外表示ＬＥＤ４１と第１，第２，第７，第８室内表示ＬＥＤ５１，５２，５７，５８を点灯させる。これにより、作業者は、室内号機表示２５におけるマトリックスにより、第１，第２，第７，第８室内機が運転されていることを知る。同様にして、プッシュスイッチ６３が２回〜４回押し込まれると、ＣＰＵは、第２〜第４室外表示ＬＥＤ４２〜４４および第１〜第８室内表示ＬＥＤ５１〜５８を適宜点灯させ、第９〜第３２室内機の運転状況を表示する。尚、室内機運転号機の表示中に表示された室内機に異常が発生すると、ＣＰＵは、室内警報ＬＥＤ３２を点灯させると共に、その室内機を示す室内表示ＬＥＤ５ｎを点滅させる。
【００４２】
図１５には、各室外機１-2〜１-4における圧縮機内油量の表示例を示してある。この場合、作業者は、タンブラースイッチ６９を点検側に切り換えた後、ロータリスイッチ６１を「５」に合わせ、プッシュスイッチ６３を押し込む。すると、中継制御基盤９のＣＰＵは、圧縮機内油量を表示するべく、第１〜第４室外表示ＬＥＤ４１〜４４および第１〜第８室内表示ＬＥＤ５１〜５８を適宜点灯させる。
【００４３】
例えば、本実施形態の場合、ロータリスイッチ６１を「５」に合わせられると、ＣＰＵは、第１室外表示ＬＥＤ４１と第１〜第３および第５，第６室内表示ＬＥＤ５１〜５３，５５，５６を点灯させる。これにより、作業者は、異常コード表等に基づき、第１室外機１-2における圧縮機内油量が十分であることを知る。次に、プッシュスイッチ６３が１回〜３回押し込まれると、ＣＰＵは、第２〜第４室外表示ＬＥＤ４２〜４４および第１〜第８室内表示ＬＥＤ５１〜５８を適宜点灯させ、第２〜第４室外機１-2〜１-4における圧縮機内油量を順次表示する。
【００４４】
図１６には、各室外機１-2〜１-4における警報履歴の表示例を示してある。この場合、作業者は、タンブラースイッチ６９を点検側に切り換えた後、ロータリスイッチ６１を「６」に合わせ、プッシュスイッチ６３を押し込む。すると、中継制御基盤９のＣＰＵは、警報履歴を表示するべく、第１〜第４室外表示ＬＥＤ４１〜４４および第１〜第８室内表示ＬＥＤ５１〜５８を適宜点灯させる。
【００４５】
例えば、本実施形態の場合、ロータリスイッチ６１を「６」に合わせられると、ＣＰＵは、第１室外表示ＬＥＤ４１と第３，第６，第７室内表示ＬＥＤ５３，５６，５７を点灯させる。これにより、作業者は、警報履歴コード表等に基づき、第１室外機１-2において圧縮機吐出冷媒温度に異常が生じていたことを知る。次に、プッシュスイッチ６３が１回〜３回押し込まれると、ＣＰＵは、第２〜第４室外表示ＬＥＤ４２〜４４および第１〜第８室内表示ＬＥＤ５１〜５８を適宜点灯させ、第２〜第４室外機１-2〜１-4における警報履歴を順次表示する。尚、本実施形態では、警報履歴が複数あった場合、ＣＰＵは、警報履歴コードを数秒単位で繰り返し表示する。
【００４６】
以上で具体的実施形態の説明を終えるが、本発明の態様はこれに限られるものではない。例えば、上記実施形態は本発明を一冷媒系統に複数台の室外機を備えた空気調和システム適用したものであるが、一冷媒系統に一台の室外機を備えた空気調和システムに適用してもよいし、複数の冷媒系統からなる空気調和システムに適用してもよい。また、室外機や室内機の台数を始め、室内号機表示の形態等についても、本発明の趣旨を逸脱しない範囲で適宜変更可能である。
【００４７】
【発明の効果】
以上説明したように、本発明によれば、７セグメントＬＥＤを用いることなく、ＬＥＤランプのみで運転情報を表示することが可能となり、装置構成の簡素化とコスト低減を実現できた。また、一組のロータリスイッチとプッシュスイッチとによりを表示項目を切換えられるようにしたものでは、装置構成が更に簡素になると共にコストも更に低減することができる。
【図面の簡単な説明】
【図１】本発明に係る空気調和システムの概要構成を示すブロック図である。
【図２】中継制御基盤に付設された表示・入力パネルを示す正面図である。
【図３】図２中のＡ部拡大図である。
【図４】図２中のＢ部拡大図である。
【図５】実施形態における表示例を示す図である。
【図６】実施形態における表示例を示す図である。
【図７】実施形態における表示例を示す図である。
【図８】実施形態における表示例を示す図である。
【図９】実施形態における表示例を示す図である。
【図１０】実施形態における表示例を示す図である。
【図１１】実施形態における表示例を示す図である。
【図１２】実施形態における表示例を示す図である。
【図１３】実施形態における表示例を示す図である。
【図１４】実施形態における表示例を示す図である。
【図１５】実施形態における表示例を示す図である。
【図１６】実施形態における表示例を示す図である。
【符号の説明】
１-1〜１-4  室外機
３-1〜３-28  室内機
５  室外制御基盤
７  室内制御基盤
９  中継制御基盤
１１  サブバスライン
１３  メインバスライン
２１  表示・入力パネル
２３  表示面
２５  室内号機表示
３１  運転ＬＥＤ
３２  室内警報ＬＥＤ
３３  室外警報ＬＥＤ
３４  中継警報ＬＥＤ
４１〜４４  室外表示ＬＥＤ
５１〜５８  室内表示ＬＥＤ
【図１】
0003789581.tif 000002
【図２】
0003789581.tif 000003
【図３】
0003789581.tif 000004
【図４】
0003789581.tif 000005
【図５】
0003789581.tif 000006
【図６】
0003789581.tif 000007
【図７】
0003789581.tif 000008
【図８】
0003789581.tif 000009
【図９】
0003789581.tif 000010
【図１０】
0003789581.tif 000011
【図１１】
0003789581.tif 000012
【図１２】
0003789581.tif 000013
【図１３】
0003789581.tif 000014
【図１４】
0003789581.tif 000015
【図１５】
0003789581.tif 000016
【図１６】
0003789581.tif 000017